(57)【要約】【課題】ラマン増幅器を用いた光伝送区間の伝送路損失の測定精度を向上する。【解決手段】伝送路損失算出部８０は、パワー測定部４０で測定された送信光パワー及びパワー測定部７０で測定された受信光パワーと、ラマン増幅算出部６０で算出した利得と、に基づいて、ラマン増幅器を用いた光伝送区間の伝送路損失を算出してよい。また、伝送路損失算出部８０は、光伝送区間における波長多重光の波長数の変化に応じて、前記伝送路損失を補正してよい。【選択図】図１
2017017605.tif 000002
【特許請求の範囲】
【請求項１】
入力される励起光パワーに応じて光を増幅するラマン増幅器を介して送信される波長多重光のいずれかの波長の送信光パワーを測定する第１測定部と、
前記ラマン増幅器を介して受信される前記波長の受信光パワーを測定する第２測定部と、
前記励起光のパワーに基づいて、前記ラマン増幅器による利得を算出するラマン増幅算出部と、
前記第１測定部で測定された送信光パワー及び前記第２測定部で測定された受信光パワーと、前記ラマン増幅算出部で算出した利得と、に基づいて、前記ラマン増幅器を用いた光伝送区間の伝送路損失を算出する伝送路損失算出部と、を備え、
前記伝送路損失算出部は、前記波長多重光の波長数の変化に応じて、前記伝送路損失を補正する、伝送路損失測定装置。
【請求項２】
前記伝送路損失算出部は、前記波長多重光の波長数に変化があったときに、変化の前後で、前記ラマン増幅器による利得が同じ値に維持されるように、前記励起光のパワーを制御する、請求項１に記載の伝送路損失測定装置。
【請求項３】
前記伝送路損失算出部は、前記波長数に対応付けられた誘導ラマン散乱量に基づいて、前記伝送路損失を補正する、請求項１又は２に記載の伝送路損失測定装置。
【請求項４】
前記伝送路損失算出部は、前記波長数に対応付けられた、前記励起光の変動量に基づいて、前記伝送路損失を補正する、請求項１〜３のいずれか１項に記載の伝送路損失測定装置。
【請求項５】
入力される励起光パワーに応じて光を増幅するラマン増幅器を介して送信される波長多重光のいずれかの波長の送信光パワーと、前記ラマン増幅器を介して受信される前記波長の受信光パワーと、を測定すると共に、前記励起光のパワーに基づいて、前記ラマン増幅器による利得を算出し、
前記波長の送信光パワー及び受信光パワーと、前記ラマン増幅算出部で算出した利得と、に基づいて、前記ラマン増幅器を用いた光伝送区間の伝送路損失を算出すると共に、前記波長多重光の波長数の変化に応じて、前記伝送路損失を補正する、伝送路損失測定方法。
【請求項６】
波長多重光を光伝送路へ送信する第１のノードと、
前記波長多重光を前記光伝送路から受信する第２のノードと、
前記光伝送路を励起光が入力される光増幅媒体に用いて前記波長多重光を前記励起光のパワーに応じて増幅するラマン増幅器と、
前記第１のノードから前記ラマン増幅器を介して送信される前記波長多重光のいずれかの波長の送信光パワーを測定する第１測定部と、
前記ラマン増幅器を介して前記第２のノードで受信される前記波長の受信光パワーを測定する第２測定部と、
前記励起光のパワーに基づいて、前記ラマン増幅器による利得を算出するラマン増幅算出部と、
前記第１測定部で測定された送信光パワー及び前記第２測定部で測定された受信光パワーと、前記ラマン増幅算出部で算出した利得と、に基づいて、前記光伝送路の損失を算出する伝送路損失算出部と、を備え、
前記伝送路損失算出部は、前記波長多重光の波長数の変化に応じて、前記伝送路損失を補正する、光伝送システム。
【発明の詳細な説明】
【技術分野】
【０００１】
本明細書に記載する技術は、伝送路損失測定装置、伝送路損失測定方法、及び、光伝送システムに関する。
【背景技術】
【０００２】
光伝送システムには、光増幅器やＯＡＤＭ（Optical add-drop multiplexer）が備えられることがある。光伝送システムの一例は、複数波長の信号光を波長多重したＷＤＭ（Wavelength Division Multiplexing）光を伝送するＷＤＭ光伝送システムである。
【０００３】
また、ＯＡＤＭには、波長選択スイッチ（wavelength selective switch, WSS）が用いられることがある。ＯＡＤＭにＷＳＳを用いることで、信号光の伝送経路を波長単位で柔軟に設定することができる。
【０００４】
ＯＡＤＭにおいて信号光が受ける損失や、信号光が光伝送路において信号光が受ける損失（「伝送路損失」と称してよい。）を補償するため、ＯＡＤＭの前段及び後段の一方又は双方に、光増幅器が備えられることもある。
【０００５】
ＯＡＤＭの後段に設けられた光増幅器は、「送信アンプ」又は「ポストアンプ」と称されることがある。また、ＯＡＤＭの前段に設けられた光増幅器は、「受信アンプ」又は「プリアンプ」と称されることがある。
【０００６】
光増幅器には、光増幅媒体にＥＤＦ（Erbium-Doped Fiber）を用いたＥＤＦＡ（Erbium-Doped Fiber Amplifier）や、半導体光増幅器（ＳＯＡ）、ラマン増幅器が適用可能である。ラマン増幅器は、誘導ラマン散乱（ＳＲＳ）を利用して信号光を増幅する。
【先行技術文献】
【特許文献】
【０００７】
【特許文献１】特開２００４−２４０２７８号公報
【特許文献２】国際公開第２００６／１３７１２３号
【特許文献３】特開２０１２−２２２６０号公報
【発明の概要】
【発明が解決しようとする課題】
【０００８】
光伝送システムでは、或る伝送区間（「スパン」と称してもよい）における伝送路損失の測定が求められることがある。或るスパンの伝送路損失は、「スパンロス」と称されることがある。例えば、或るＯＡＤＭ間のスパンロスの測定が求められることがある。
【０００９】
第１のＯＡＤＭの後段にポストアンプが備えられ、第２のＯＡＤＭの前段にプリアンプが備えられている場合、ＯＡＤＭ間のスパンロスは、ポストアンプとプリアンプとの間のスパンロスとして求められてよい。
【００１０】
例えば、ポストアンプとプリアンプとの間のスパンロスは、ポストアンプの出力光パワーと、プリアンプの入力光パワーと、の差分によって求めることができる。ここで、ラマン増幅器を使用する光伝送路について伝送路損失を測定する場合、ラマン利得の影響を考慮する必要がある。
【００１１】
例えば、ポストアンプの出力光パワーとプリアンプの入力光パワーとの差分によって求めた伝送路損失から、ラマン利得を減じることで、ラマン増幅器を使用する光伝送路の伝送路損失を求めることができる。
【００１２】
ラマン利得は、ラマン増幅器のための励起光源が出力する励起光のパワーを測定し、測定した励起光パワーと、ラマン利得と、の所定の関係を基に求めることができる。しかし、このように励起光パワーに対する所定の関係を基にして求めたラマン利得は、実測値ではないため、誤差が生じ得る。
【００１３】
例えば、ＷＤＭ信号光の波長数の変動に応じてポストアンプの出力光パワーが変動すると、光伝送路におけるＳＲＳ量が変動してラマン利得が変動し得る。また、ＷＤＭ信号光の波長数の変動に応じて、同じラマン利得を維持するために励起光パワーが変動することもある。
【００１４】
励起光パワーが変動すると、ラマン利得は維持されており変動していないにも関わらず、測定した励起光パワーから所定の関係を基にして求められるラマン利得に変動が生じて誤差が生じ得る。
【００１５】
このように、ＷＤＭ信号光の波長数の変動に応じて、ＳＲＳ量や励起光パワーが変動することによって、伝送路損失の測定誤差が生じ得る。
【００１６】
１つの側面では、本明細書の記載する技術の目的の１つは、ラマン増幅器を用いた光伝送区間の伝送路損失の測定精度を向上することにある。
【課題を解決するための手段】
【００１７】
１つの側面において、伝送路損失測定装置は、第１測定部と、第２測定部と、ラマン増幅算出部と、伝送路損失算出部と、を備えてよい。第１測定部は、入力される励起光パワーに応じて光を増幅するラマン増幅器を介して送信される波長多重光のいずれかの波長の送信光パワーを測定してよい。第２測定部は、前記ラマン増幅器を介して受信される前記波長の受信光パワーを測定してよい。ラマン増幅算出部は、前記励起光のパワーに基づいて、前記ラマン増幅器による利得を算出してよい。伝送路損失算出部は、前記第１測定部で測定された送信光パワー及び第２測定部で測定された受信光パワーと、前記ラマン増幅算出部で算出した利得と、に基づいて、前記ラマン増幅器を用いた光伝送区間の伝送路損失を算出してよい。また、伝送路損失算出部は、前記波長多重光の波長数の変化に応じて、前記伝送路損失を補正してよい。
【００１８】
また、１つの側面において、伝送路損失測定方法は、入力される励起光パワーに応じて光を増幅するラマン増幅器を介して送信される波長多重光のいずれかの波長の送信光パワーと、前記ラマン増幅器を介して受信される前記波長の受信光パワーと、を測定してよい。また、伝送路損失測定方法は、前記励起光のパワーに基づいて、前記ラマン増幅器による利得を算出してよい。そして、伝送路損失測定方法は、前記波長の送信光パワー及び受信光パワーと、前記ラマン増幅算出部で算出した利得と、に基づいて、前記ラマン増幅器を用いた光伝送区間の伝送路損失を算出してよい。当該伝送路損失は、前記波長多重光の波長数の変化に応じて補正されてよい。
【００１９】
更に、１つの側面において、光伝送システムは、第１のノードと、第２のノードと、ラマン増幅器と、第１測定部と、第２測定部と、ラマン増幅算出部と、伝送路損失算出部と、を備えてよい。第１のノードは、波長多重光を光伝送路へ送信してよい。第２のノードは、前記波長多重光を前記光伝送路から受信してよい。ラマン増幅器は、前記光伝送路を励起光が入力される光増幅媒体に用いて前記波長多重光を前記励起光のパワーに応じて増幅してよい。第１測定部は、前記第１のノードから前記ラマン増幅器を介して送信される前記波長多重光のいずれかの波長の送信光パワーを測定してよい。第２測定部は、前記ラマン増幅器を介して前記第２のノードで受信される前記波長の受信光パワーを測定してよい。ラマン増幅算出部は、前記励起光のパワーに基づいて、前記ラマン増幅器による利得を算出してよい。伝送路損失算出部は、前記第１測定部で測定された送信光パワー及び第２測定部で測定された受信光パワーと、前記ラマン増幅算出部で算出した利得と、に基づいて、前記光伝送路の損失を算出してよい。また、伝送路損失算出部は、前記波長多重光の波長数の変化に応じて、前記伝送路損失を補正してよい。
【発明の効果】
【００２０】
１つの側面として、ラマン増幅器を用いた光伝送区間の伝送路損失の測定精度を向上できる。
【図面の簡単な説明】
【００２１】
【図１】一実施形態に係る光伝送システムの構成例を示すブロック図である。
【図２】図１に例示した光伝送システムにおけるラマン増幅を説明するためのブロック図である。
【図３】図１に例示した光伝送システムにおける伝送路損失測定方法の一例を示すフローチャートである。
【図４】図１に例示した光伝送システムにおける伝送路損失測定方法の一例を示すフローチャートである。
【図５】一実施形態に係る励起光パワーとラマン利得との関係の一例を示す図である。
【図６】一実施形態に係る送信アンプトータル出力光パワーとＳＲＳ補正値との関係の一例を示す図である。
【図７】一実施形態に係る送信アンプトータル出力光パワーと励起光変動量との関係の一例を示す図である。
【図８】図１に例示した伝送路損失算出部の構成例を示すブロック図である。
【発明を実施するための形態】
【００２２】
以下、図面を参照して実施の形態を説明する。ただし、以下に説明する実施形態は、あくまでも例示であり、以下に明示しない種々の変形や技術の適用を排除する意図はない。また、以下に説明する各種の例示的態様は、適宜に組み合わせて実施しても構わない。なお、以下の実施形態で用いる図面において、同一符号を付した部分は、特に断らない限り、同一若しくは同様の部分を表す。
【００２３】
図１は、一実施形態に係る光伝送システムの構成例を示すブロック図である。図１に示す光伝送システム１は、例示的に、複数の波長の光が波長多重されたＷＤＭ光を伝送するＷＤＭ光伝送システムであって、送信光増幅部１０と、受信光増幅部３０と、を備えてよい。
【００２４】
送信光増幅部１０と、受信光増幅部３０と、は、例示的に、光伝送路２０を介して相互に光通信が可能に接続されてよい。光伝送路２０は、光ファイバを用いた光ファイバ伝送路であってよい。
【００２５】
なお、便宜的に、送信光増幅部１０は、送信アンプ１０又はポストアンプ１０と称してもよく、受信光増幅部３０は、受信アンプ３０又はプリアンプ３０と称してもよい。
【００２６】
送信アンプ１０には、例示的に、光増幅器（ＡＭＰ）１１、光分岐器１２、光フィルタ１３、受光器１４、光分岐器１５、及び、受光器１６が備えられてよい。
【００２７】
光増幅器１１は、入力光（例えば、ＷＤＭ光）を増幅する。光増幅器１１には、例示的に、希土類添加光ファイバ増幅器や半導体増幅器（ＳＯＡ）が適用されてよい。希土類添加光ファイバ増幅器の一例は、ＥＤＦＡである。
【００２８】
光分岐器１２は、例示的に、光増幅器１１の出力光を分岐して、一方を光フィルタ１３へ出力し、他方を光分岐器１５へ出力する。
【００２９】
光フィルタ１３は、光分岐器１２から入力されたＷＤＭ光に含まれる複数波長のうちのいずれかの波長の光を受光器１４へ通過させる。光フィルタ１３には、受光器１４へ通過させる光の波長を可変できるチューナブル光フィルタが適用されてよい。また、光フィルタ１３は、例示的に、ＷＳＳに代替されてもよい。
【００３０】
受光器１４は、例示的に、光フィルタ１３を通過した波長の光を受光し、その受光パワーに応じた電気信号を出力する。受光器１４には、ＰＤ（フォトダイオード又はフォトディテクタ）が適用されてよい。ＰＤ１４が出力する電気信号は、受光パワーに応じた電流信号であってよい。電流信号は、例示的に、トランスインピーダンスアンプ（ＴＩＡ）によって電圧信号に変換されてもよい。
【００３１】
光分岐器１５は、例示的に、光分岐器１２から入力されたＷＤＭ光を分岐して、一方を光伝送路２０へ出力し、他方を受光器１６へ出力する。
【００３２】
受光器１６は、例示的に、光分岐器１５から入力されたＷＤＭ光を受光し、その受光パワーに応じた電気信号を出力する。受光器１６には、受光器１４と同様に、ＰＤが適用されてよく、ＰＤ１６が出力する電流信号は、例示的に、ＴＩＡによって電圧信号に変換されてよい。
【００３３】
一方、受信アンプ３０には、例示的に、励起光源３１、光合波器３２、光分岐器３３、光増幅器（ＡＭＰ）３４、光フィルタ３５、及び、受光器３６が備えられてよい。
【００３４】
励起光源３１は、例示的に、ラマン増幅用の励起光（便宜的に「ラマン励起光」と称してよい。）を生成して光合波器３２に出力する。励起光源３１は、光合波器３２に出力している励起光のパワーをモニタ可能であり、そのモニタ結果は、後述のラマン増幅算出部６０に与えられてよい。なお、「モニタ」は、「測定」又は「検出」と言い換えてもよい。
【００３５】
光合波器３２は、例示的に、光伝送路２０から入力されたＷＤＭ光を光分岐器３３へ通過させ、且つ、励起光源３１から入力されたラマン励起光を光伝送路２０へ出力する。したがって、図２に模式的に例示するように、ラマン励起光は、光伝送路２０において、信号光の一例であるＷＤＭ光の伝搬方向とは逆方向に伝搬する。
【００３６】
光伝送路２０は、ラマン増幅器の光増幅媒体の一例であり、光伝送路２０に入力されるラマン励起光のパワーに応じて光伝送路２０を伝搬するＷＤＭ光がラマン増幅される。なお、主信号光とは逆方向に伝搬するラマン励起光によってラマン増幅を行なう構成は、「後方励起」構成と称されることがある。
【００３７】
光分岐器３３は、例示的に、光合波器３２から入力されたＷＤＭ光を分岐して、一方を光増幅器３４に出力し、他方を光フィルタ３５に出力する。
【００３８】
光増幅器３４は、光分岐器３３から入力されたＷＤＭ光を増幅する。光増幅器３４には、例示的に、希土類添加光ファイバ増幅器や半導体増幅器（ＳＯＡ）が適用されてよい。希土類添加光ファイバ増幅器の一例は、ＥＤＦＡである。
【００３９】
光フィルタ３５は、光分岐器３３から入力されたＷＤＭ光に含まれる複数波長のうちのいずれかの波長の光を受光器３６へ通過させる。光フィルタ３５には、受光器３６へ通過させる光の波長を可変できるチューナブル光フィルタが適用されてよい。また、光フィルタ３５は、例示的に、ＷＳＳに代替されてもよい。
【００４０】
受光器３６は、例示的に、光フィルタ３５を通過した波長の光を受光し、その受光パワーに応じた電気信号を出力する。受光器３６には、送信アンプ１０における受光器１４及び１６と同様に、ＰＤが適用されてよく、ＰＤ３６が出力する電流信号は、例示的に、ＴＩＡによって電圧信号に変換されてよい。
【００４１】
また、図１に例示するように、光伝送システム１には、送信アンプ出力光パワーモニタ４０、送信アンプトータル出力光パワーモニタ５０、ラマン増幅算出部６０、受信アンプ入力光パワーモニタ７０、及び、伝送路損失算出部８０が備えられてよい。
【００４２】
送信アンプ出力光パワーモニタ４０は、例示的に、受光器１４での受光パワーに応じた電気信号をモニタする。別言すると、送信アンプ出力光パワーモニタ４０は、光伝送路２０へ送信される、或る特定の波長（便宜的に「モニタ波長」と称してよい。）の送信光パワー（ＰＴｘ）をモニタする。送信アンプ出力光パワーモニタ４０のモニタ結果は、伝送路損失算出部８０に与えられてよい。
【００４３】
送信アンプトータル出力光パワーモニタ５０は、例示的に、受光器１６での受光パワーに応じた電気信号をモニタする。別言すると、送信アンプトータル出力光パワーモニタ５０は、光伝送路２０へ送信されるＷＤＭ光のトータルの送信光パワー（ＰＴｘＴｏｔａｌ）をモニタする。送信アンプトータル出力光パワーモニタ５０のモニタ結果は、伝送路損失算出部８０に与えられてよい。
【００４４】
ラマン増幅算出部６０は、例示的に、励起光源３１が出力しているラマン励起光のパワーを基に、ラマン増幅量（ＰＲａｍａｎ）を求める。ラマン増幅量は、現在のラマン励起光のパワーによって得られている増幅量を表す。「ラマン増幅量」は、便宜的に、「ラマン利得」と等価な情報であると捉えてよい。
【００４５】
受信アンプ入力光パワーモニタ７０は、例示的に、受光器３６での受光パワーに応じた電気信号をモニタする。別言すると、受信アンプ入力光パワーモニタ７０は、光伝送路２０から受信した、或る特定のモニタ波長の光の受信光パワー（ＰＲｘ）をモニタする。受信アンプ入力光パワーモニタ７０のモニタ結果は、伝送路損失算出部８０に与えられてよい。
【００４６】
送信アンプ出力光パワーモニタ４０は、第１測定部の一例であり、受信アンプ入力光パワーモニタ７０は、第２測定部の一例であり、送信アンプトータル出力光パワーモニタ５０は、第３測定部の一例である。
【００４７】
また、受信アンプ入力光パワーモニタ７０と、送信アンプ出力光パワーモニタ４０と、は、ラマン増幅器を介したモニタ波長の送信光パワーと受信光パワーとを測定する送受信光パワー測定部の一例である。
【００４８】
伝送路損失算出部８０は、例示的に、各モニタ４０，５０及び７０のモニタ結果と、ラマン増幅算出部６０で算出されたラマン増幅量と、を基に、送信アンプ１０と受信アンプ３０との間の光伝送路２０でＷＤＭ光が受けている伝送路損失を算出してよい。送信アンプ１０と受信アンプ３０との間の区間は「スパン」と称してよいから、当該スパンにおける伝送路損失は、「スパンロス」と称してよい。
【００４９】
例示的に、伝送路損失算出部８０は、下記の式（１）によって、伝送路損失（ＰＬｏｓｓ）［ｄＢ］を算出してよい。
ＰＬｏｓｓ［ｄＢ］＝ＰＴｘ［ｄＢｍ］−ＰＲｘ［ｄＢｍ］−ＰＲａｍａｎ［ｄＢ］＋Ｐｃｏｎｖｅｒｔｅｄ［ｄＢ］＋Ｐｃｏｒｒｅｃｔ［ｄＢ］  …（１）
なお、「Ｐｃｏｎｖｅｒｔｅｄ」は伝送路損失の「換算値」を表し、「Ｐｃｏｒｒｅｃｔ」は伝送路損失の「補正値」を表す。
【００５０】
換算値「Ｐｃｏｎｖｅｒｔｅｄ」は、ＰＴｘ及びＰＲｘの得られたモニタ波長が、伝送路損失を測定したい波長（便宜的に「ターゲット波長」と称してよい。）とは異なる波長である場合に、伝送路損失ＰＬｏｓｓをターゲット波長の損失に換算するための値である。そのため、モニタ波長とターゲット波長とが一致していれば、換算値「Ｐｃｏｎｖｅｒｔｅｄ」は用いなくてよい。
【００５１】
補正値「Ｐｃｏｒｒｅｃｔ」は、例示的に、「ＳＲＳ補正値」及び「励起光変動補正値」の一方又は双方を基に算出されてよい。
【００５２】
「ＳＲＳ補正値」は、例示的に、光伝送路２０へ送信されるＷＤＭ光の波長数が変化して送信ＷＤＭ光のトータルパワーが変化すると、当該変化に応じてＷＤＭ光の伝送帯域におけるＳＲＳ量が変動するため、当該ＳＲＳ量の変動を補正するための値である。
【００５３】
例えば、送信ＷＤＭ光の波長数が増加してトータルパワーが増加するほど、ＳＲＳ量も増加する傾向にある。そのため、「ＳＲＳ補正値」は、例示的に、ＷＤＭ光の送信トータルパワーが大きくなるほど、ＳＲＳ量の増加分を相殺可能な値（例えば、減算値）に設定されてよい。なお、送信ＷＤＭ光のトータルパワーは、例示的に、送信アンプトータル出力光パワーモニタ５０にてモニタ可能である。
【００５４】
一方、「励起光変動補正値」は、例示的に、光伝送路２０へ送信されるＷＤＭ光の波長数が変化すると、当該ＷＤＭ光に対して同じラマン利得を維持するための励起光パワーが変動するため、当該変動に応じたラマン利得の変動を補正するための値である。
【００５５】
例えば、送信ＷＤＭ光の波長数が増加するほど、当該ＷＤＭ光に対して同じラマン利得を保つための励起光パワーも増加する傾向にある。励起光パワーの増加に応じてラマン利得も増加していると扱ってしまうと、実際には波長数の変化に関わらず一定に保たれているラマン利得に対して誤差が生じ得る。「励起光変動補正値」は、このようなラマン利得の誤差を相殺可能な値に設定されてよい。
【００５６】
別言すると、伝送路損失算出部８０は、送信ＷＤＭ光の波長数に変化があったときに、変化の前後で、ラマン増幅器による利得が同じ値に維持されるように、励起光源３１の励起光パワーを制御してよい。
【００５７】
図８に、上述した伝送路損失算出部８０の構成例を示す。図８に例示するように、伝送路損失算出部８０は、例示的に、換算値算出部８１、ＳＲＳ補正値算出部８２、励起光パワー変動量算出部８３、励起光変動補正値算出部８４、補正値算出部８５、損失算出部８６、及び、記憶部８７を備えてよい。
【００５８】
換算値算出部８１は、例示的に、記憶部８７に記憶された、既述の換算値「Ｐｃｏｎｖｅｒｔｅｄ」を求めるための情報を基に、換算値「Ｐｃｏｎｖｅｒｔｅｄ」を算出してよい。
【００５９】
ＳＲＳ補正値算出部８２は、例示的に、送信アンプトータル出力光パワーモニタ５０のモニタ結果を基に、既述の「ＳＲＳ補正値」を算出してよい。
【００６０】
励起光パワー変動量算出部８３は、例示的に、送信アンプトータル出力光パワーモニタ５０のモニタ結果を基に、励起光パワーの変動量を算出してよい。
【００６１】
励起光変動補正値算出部８４は、例示的に、励起光パワー変動量算出部８４で算出された、励起光パワーの変動量を基に、既述の「励起光変動補正値」を算出してよい。
【００６２】
補正値算出部８５は、例示的に、ＳＲＳ補正値算出部８２で算出された「ＳＲＳ補正値」と、励起光変動補正値算出部８４で算出された「励起光変動補正値」と、を基に、既述の補正値「Ｐｃｏｒｒｅｃｔ」を算出してよい。
【００６３】
損失算出部８６は、例示的に、モニタ４０及び７０のモニタ結果と、ラマン増幅算出部６０の算出結果と、換算値算出部８１及び補正値算出部８５の算出結果と、を基に、式（１）に例示した伝送路損失を算出してよい。
【００６４】
記憶部８７には、伝送路損失の算出に用いられる情報が記憶されてよい。伝送路損失の算出に用いられる情報の一例には、既述の「換算値」や、「換算値」の算出に用いられる後述の変換係数、図６及び図７に例示する関係を示す情報が該当してよい。
【００６５】
図６は、送信アンプトータル出力光パワーとＳＲＳ補正値との関係の一例を示す図であり、図７は、送信アンプトータル出力光パワーと、基準波長数に対する波長増加時の励起光パワー増加量と、の関係の一例を示す図である。
【００６６】
なお、記憶部８７には、フラッシュメモリ等のメモリや、ハードディスクドライブ（ＨＤＤ）、ソリッドステートドライブ（ＳＳＤ）等の記憶装置が適用されてよい。記憶部８７は、伝送路損失算出部８０の外部に備えられてもよい。
【００６７】
また、上述した送信アンプ１０は、第１の光伝送装置に備えられてよく、受信アンプ３０は、第２の光伝送装置に備えられてよい。「光伝送装置」は、「ノード」あるいは「局」と称されてもよい。
【００６８】
第１のノードは、送信端ノード、中継ノード（例えば、in-line amplifier, ILA）、及び、ＲＯＡＤＭのいずれであってもよい。第２のノードは、受信端ノード、中継ノード、及び、ＲＯＡＤＭのいずれであってもよい。
【００６９】
各モニタ４０，５０及び７０、ラマン増幅算出部６０、並びに、伝送路損失算出部８０の一部又は全部は、第１及び第２のノードのいずれに備えられていても構わない。
【００７０】
例えば、第１のノードに、モニタ４０及び５０が備えられ、第２のノードに、ラマン増幅算出部６０、モニタ７０及び伝送路損失算出部８０が備えられてよい。
【００７１】
あるいは、第１のノードに、モニタ４０及び５０と伝送路損失算出部８０とが備えられ、第２のノードに、ラマン増幅算出部６０及びモニタ７０が備えられてもよい。
【００７２】
伝送路損失算出部８０に対するモニタ結果や算出結果の伝達には、例示的に、光監視チャネル（ＯＳＣ）が用いられてよい。
【００７３】
また、各モニタ４０，５０及び７０、ラマン増幅算出部６０、並びに、伝送路損失算出部８０の一部又は全部は、光伝送システム１の全体的な動作を制御、管理することが可能なシステム（例示的に、ＮＭＳやＯＰＳ）に備えられていてもよい。なお、「ＮＭＳ」は、ネットワークマネージメントシステムの略称であり、「ＯＰＳ」は、オペレーションシステムの略称である。
【００７４】
更に、各モニタ４０，５０及び７０、ラマン増幅算出部６０、並びに、伝送路損失算出部８０の一部又は全部は、ハードウェアによって実現されてもよいし、ソフトウェア処理によって実現されてもよい。
【００７５】
なお、各モニタ４０，５０及び７０、ラマン増幅算出部６０、並びに、伝送路損失算出部８０は、図１中に点線枠で例示するように、伝送路損失測定装置の一例を成すと捉えてよい。
【００７６】
（動作例）
以下、図３〜図７を参照して、図１に例示した光伝送システム１における伝送路損失の測定例について説明する。
【００７７】
図３に例示するように、送信アンプ出力光パワーモニタ４０にて、モニタ波長の出力光パワーがモニタされる（処理Ｐ１０）。また、受信アンプ入力光パワーモニタ７０にて、モニタ波長の入力光パワーがモニタされる（処理Ｐ２０）。これらの処理Ｐ１０及びＰ２０の順序は不問であり、パラレルに実施されてもよい。
【００７８】
また、ラマン増幅算出部６０にて、ラマン増幅量（ＰＲａｍａｎ）が算出される。例えば、光伝送システム１の立ち上げ時や運用開始前に、光伝送路２０と励起光源３１とを用いた場合の、励起光パワーとラマン増幅量との関係を求める。
【００７９】
当該関係の一例を図５に示す。図５に例示するように、励起光パワーとラマン増幅量とは、励起光パワー［ｍＷ］が増加するほど、ラマン増幅量［ｄＢ］も増加する関係にある。
【００８０】
光伝送システム１の運用開始前のように、励起光源３１をＯＮ／ＯＦＦ制御してよい場合（処理Ｐ３０でＹＥＳの場合）、ラマン増幅量（ＰＲａｍａｎ）は、下記の式（２）によって求めることができる（処理Ｐ４０）。
ＰＲａｍａｎ＝ＰＲｘＲａｍａｎＯＮ−ＰＲｘＲａｍａｎＯＦＦ  …（２）
【００８１】
なお、式（２）において、「ＰＲｘＲａｍａｎＯＮ」は、励起光源３１をＯＮ制御した時に、受信アンプ入力光パワーモニタ７０でモニタされる光パワーを表す。「ＰＲｘＲａｍａｎＯＦＦ」は、励起光源３１をＯＦＦ制御した時に、受信アンプ入力光パワーモニタ７０でモニタされる光パワーを表す。
【００８２】
式（２）で表される計算は、例示的に、伝送路損失算出部８０にて実施されてもよいし、ラマン増幅算出部６０にて実施されてもよい。ラマン増幅算出部６０にて実施する場合は、励起光源３１をＯＮ及びＯＦＦに制御した時に受信アンプ入力パワーモニタ７０でそれぞれモニタされた光パワーの情報が、ラマン増幅算出部６０に与えられてよい。
【００８３】
一方、光伝送システム１の運用開始後のように、励起光源３１をＯＦＦ制御できない場合（処理Ｐ３０でＮＯの場合）は、例示的に、ラマン増幅算出部６０において、励起光源３１の現在の励起光パワーを求める。ラマン増幅算出部６０は、図５に例示した関係から、現在の励起光パワーに対するラマン利得をラマン増幅量として求めてよい（処理Ｐ５０）。
【００８４】
なお、ラマン増幅量は、雑音を考慮して求められてもよい。例えば、信号光が伝送されていない状態で励起光源３１をＯＮ制御した時に受信アンプ入力光パワーモニタ７０でモニタされる光パワーを「ＰＲＸＲａｍａｎＯＮＮｏｃｈ」で表し、信号光が伝送されていない状態で励起光源３１をＯＦＦ制御した時に受信アンプ入力光パワーモニタ７０でモニタされる光パワーを「ＰＲＸＲａｍａｎＯＦＦＮｏｃｈ」で表す。この場合、ラマン増幅時の雑音＝ＰＲＸＲａｍａｎＯＮＮｏｃｈ−ＰＲＸＲａｍａｎＯＦＦＮｏｃｈで求めることができる。したがって、ラマン増幅量から雑音を差し引いた結果を、雑音を考慮したラマン増幅量として求めることができる。
【００８５】
その後、伝送路損失算出部８０にて、前掲の式（１）における換算値Ｐｃｏｎｖｅｒｔｅｄが求められる（処理Ｐ６０）。換算値は、例示的に、伝送路損失の算出に用いている、モニタ波長を含む波長帯域と、伝送路損失を求めたい波長帯域のファイバ波長依存損失と、の比を用いた変換係数であってよい。当該変換係数は、例示的に、伝送路損失算出部８０に備えられた記憶部８７に定数として記憶されておいてよい。
【００８６】
また、伝送路損失算出部８０は、送信アンプトータル出力光パワーモニタ５０でモニタされた光パワーを基に、図６に例示するような、送信アンプトータル出力光パワーとＳＲＳ補正値との関係から、ＳＲＳ補正値を求める（処理Ｐ７０及びＰ８０）。
【００８７】
図６に例示するように、ＳＲＳ補正値［ｄＢ］は、例示的に、波長数が基準波長数である時の送信アンプトータル出力光パワーに対して０［ｄＢ］（補正無し）である。波長数が基準波長数から増加して送信アンプトータル出力光パワーが増加するほど、ＳＲＳ補正値は、大きな減算値をとる。そのため、ＳＲＳ補正値は、波長数に対応付けられている、と捉えてもよい。
【００８８】
図６に例示する関係は、シミュレーションや実測によって求めた情報として、例えば記憶部８７に記憶されておいてよい。非限定的な一例として、図６に例示する関係は、受信アンプ３０の受光器３６の波長帯域にＳＲＳによる影響がどの程度発生するかを確認することで、例えば、データベースとして伝送路損失算出部８０の記憶部８７に記憶されてよい。
【００８９】
また、伝送路損失算出部８０は、送信アンプトータル出力光パワーモニタ５０のモニタ結果を基に、励起光変動補正値を求める。
【００９０】
例えば、伝送路損失算出部８０は、図７に例示するような、送信アンプトータル出力光パワーと、基準波長数に対する波長増加時の励起光パワー増加量と、の関係を基に、励起光パワーの変動量を算出する（図４の処理Ｐ９０）。
【００９１】
図７に例示する関係は、光伝送システム１の運用開始前にラマン増幅量を測定した時の波長数を基準として、送信アンプ１０のトータル出力光パワーを変化させた時に、同じラマン増幅量を発生させるために励起光パワーがどれだけ変動するかを示している。
【００９２】
なお、トータル出力光パワーを変化させた時とは、ＷＤＭ光に含まれる各波長の光は同じパワーで、波長数が増減することを想定している。そのため、励起光パワーの変動量は、波長数に対応付けられている、と捉えてもよい。図７に例示する関係は、シミュレーションや実測によって求めた情報として、例えば記憶部８７に記憶されておいてよい。
【００９３】
更に、伝送路損失算出部８０は、図７に例示した関係を基に求めた励起光パワーの変動量と、図５に例示した関係と、を基に、励起光パワーの変動量に応じたラマン利得の変動量を、励起光変動補正値として算出する（図４の処理Ｐ１００）。
【００９４】
伝送路損失算出部８０は、図３の処理Ｐ８０で算出したＳＲＳ補正値と、図４の処理Ｐ１００で算出した励起光変動補正値と、を加算することで、前掲の式（１）における補正値Ｐｃｏｒｒｅｃｔを算出する（図４の処理Ｐ１１０）。
【００９５】
そして、伝送路損失算出部８０は、モニタ４０及び７０のモニタ結果ＰＴｘ及びＰＲｘと、ラマン増幅算出部６０の算出結果ＰＲａｍａｎと、換算値Ｐｃｏｎｖｅｒｔｅｄと、補正値Ｐｃｏｒｒｅｃｔと、を基に、式（１）によって伝送路損失を算出する（図４の処理Ｐ１２０）。
【００９６】
補正値Ｐｃｏｒｒｅｃｔによって、波長数の変動に応じて補正された伝送路損失が求められる。したがって、波長数が変動しても、ラマン増幅器が適用されている伝送区間の伝送路損失を正確に求めることができ、伝送路損失の測定精度が向上する。
【００９７】
なお、図３及び図４に例示したフローチャートでは、式（１）における換算値、ＳＲＳ補正値、及び、励起光変動補正値を、当該順序で算出しているが、算出順序は適宜に変更してよい。また、式（１）における換算値、ＳＲＳ補正値、及び、励起光変動補正値の一部又は全部は、パラレルに算出されてもよい。
【００９８】
また、図３及び図４に例示したフローチャートでは、補正値Ｐｃｏｒｒｅｃｔが、ＳＲＳ補正値と励起光変動補正値との加算値として求められるが、補正値Ｐｃｏｒｒｅｃｔは、ＳＲＳ補正値及び励起光変動補正値のいずれか一方であってもよい。
【符号の説明】
【００９９】
１  光伝送システム
１０  送信光増幅部（送信アンプ、ポストアンプ）
１１  光増幅器
１２  光分岐器
１３  光フィルタ
１４  受光器
１５  光分岐器
１６  受光器
２０  光伝送路
３０  受信光増幅部（受信アンプ、プリアンプ）
３１  励起光源
３２  光合波器
３３  光分岐器
３４  光増幅器
３５  光フィルタ
３６  受光器
４０  送信アンプ出力光モニタ
５０  送信アンプトータル出力光パワーモニタ
６０  ラマン増幅算出部
７０  受信アンプ入力光パワーモニタ
【図１】
2017017605.tif 000003
【図２】
2017017605.tif 000004
【図３】
2017017605.tif 000005
【図４】
2017017605.tif 000006
【図５】
2017017605.tif 000007
【図６】
2017017605.tif 000008
【図７】
2017017605.tif 000009
【図８】
2017017605.tif 000010